(57)【要約】  本発明の医療用コネクタは、ハウジング及び弁体によって区画され、第１医療器具接続部から第２医療器具接続部まで流体を導く医療器具接続部連通路を備える医療用コネクタにおいて、オスコネクタ接続部へのオスコネクタの挿入にて、前記弁体の頭部が胴部を収縮変形させつつ押し込まれることで前記頭部と前記ハウジングとの間に形成される隙間のみを通じて、前記オスコネクタ接続部から前記医療器具接続部連通路まで流体を導くことを特徴とするものである。
2016157829.tif 000002
【特許請求の範囲】
【請求項１】
第１医療器具接続部、第２医療器具接続部及びオスコネクタ接続部を有するハウジングと、前記オスコネクタ接続部を閉塞可能な頭部及び該頭部に連なる胴部を有する弁体と、前記ハウジング及び前記弁体によって区画され、前記第１医療器具接続部から前記第２医療器具接続部まで流体を導く医療器具接続部連通路とを備える医療用コネクタにおいて、
前記オスコネクタ接続部へのオスコネクタの挿入にて、前記弁体の頭部が前記胴部を収縮変形させつつ押し込まれることで前記頭部と前記ハウジングとの間に形成される隙間のみを通じて、前記オスコネクタ接続部から前記医療器具接続部連通路まで流体を導くことを特徴とする医療用コネクタ。
【請求項２】
前記胴部は内部空間を形成していて、前記内部空間は、前記胴部の収縮変形の際に、前記医療器具接続部連通路を流れる流体と液密に区画されている、請求項１に記載の医療用コネクタ。
【請求項３】
前記ハウジングは、前記弁体の胴部を収容する収容凹部を備え、
前記弁体は、前記胴部の外周面に前記収容凹部と摺接するシール部が周設されており、前記胴部の外周面は、前記シール部を挟んで前記頭部側と対向する領域が前記医療器具接続部連通路を流れる流体と液密に区画されている、請求項２に記載の医療用コネクタ。
【請求項４】
前記弁体は、前記オスコネクタの非挿入時の状態において、外周面の１／２以上の領域が、前記ハウジングに接し、又は、前記医療器具接続部連通路を流れる流体と液密に区画されている、請求項３に記載の医療用コネクタ。
【請求項５】
前記弁体は、前記オスコネクタの非挿入時の状態において、外周面の１／２以上の領域が、前記ハウジングに接している、請求項１又は２に記載の医療用コネクタ。
【請求項６】
前記医療器具接続部連通路は、前記弁体の胴部の外周面を取り囲む環状流路を含む、請求項１乃至５のいずれか一項に記載の医療用コネクタ。
【発明の詳細な説明】
【技術分野】
【０００１】
本発明は、第１医療器具接続部、第２医療器具接続部及びオスコネクタ接続部を有するハウジングと、オスコネクタ接続部を閉塞可能な頭部及び該頭部に連なる胴部を有する弁体とを備える医療用コネクタに関し、特に、オスコネクタ接続部からのオスコネクタ抜去時における第２医療器具接続部での流体の引き込みの発生を抑制すると共に、医療用コネクタ内での流体の滞留の発生を抑制しようとするものである。
【背景技術】
【０００２】
従来、例えば医療用の各種機器や輸液容器、送液器具などで用いられ、医療器具の管体を接続するための医療用コネクタとして、例えば、特許文献１〜２に記載されるように、第１医療器具接続部、第２医療器具接続部及びオスコネクタ接続部を有するハウジングと、オスコネクタ接続部を閉塞可能な頭部及び該頭部に連なる胴部を有する弁体と、ハウジング及び弁体によって区画され、第１医療器具接続部から第２医療器具接続部まで流体を導く医療器具接続部連通路とを備えるものが知られている。【０００３】
特許文献１の図１〜図３に示される医療用コネクタでは、医療器具接続部連通路に分岐路が接続されており、該分岐路は、端部が弁体の頭部によって閉塞されると共に、弁体の胴部を貫通する中空部を含んでいる。そして、オスコネクタ接続部へのオスコネクタの挿入にて、弁体の頭部が押し込まれることで該頭部に穿設されたスリットが開口し、オスコネクタ接続部からスリット及び中空部を通じて医療器具接続部連通路まで流体が導かれるようになっている。【０００４】
また、特許文献２の図３８に示される医療用コネクタでは、オスコネクタ接続部へのオスコネクタの挿入にて、弁体の頭部が胴部を収縮変形させつつ押し込まれることで前記頭部とハウジングとの間に形成される隙間を通じて、オスコネクタ接続部から医療器具接続部連通路の上流側まで流体を導くようになっている。また、この医療用コネクタには、弁体の胴部とハウジングとの間に更なる流路が設けられており、オスコネクタ挿入時に形成される前記隙間とこの更なる流路とを通じて、オスコネクタ接続部から医療器具接続部連通路の下流側まで流体を導くようになっている。
【先行技術文献】
【特許文献】
【０００５】
【特許文献１】特開平１０−３２３３９７号公報
【特許文献２】特表２０１３−５００４５３号公報
【発明の概要】
【発明が解決しようとする課題】
【０００６】
しかしながら、特許文献１に記載されるように、弁体の胴部を貫通する中空部を通じて流体を導くような構成の医療用コネクタでは、オスコネクタ接続部からオスコネクタを抜去する際に、第２医療器具接続部から流体がハウジング内に引き込まれてしまうという問題があった。オスコネクタ抜去時に第２医療器具接続部から流体がハウジング内に引き込まれてしまうと、例えば、医療用コネクタを血管中に留置されたカテーテルに接続して使用する場合に、以下のような問題を生じるおそれがある。【０００７】
すなわち、医療用コネクタのオスコネクタ接続部にオスコネクタを挿入し、該オスコネクタを介して血液抗凝固剤を注入した後、オスコネクタを抜去する際に、カテーテルが接続された第２医療器具接続部からの流体の引き込みにより、カテーテル内に血液が引き込まれ、カテーテル内で血液が凝固して、カテーテルが詰まり、使用不能となってしまう。【０００８】
また、特許文献１に記載されるように、オスコネクタ接続部へのオスコネクタの挿入時に分岐路を通じて流体を導くような構成の医療用コネクタでは、オスコネクタの非挿入時には、医療器具接続部連通路を流れる流体が前記分岐路内を流れず、前記分岐路内で流体が滞留し、該滞留部で雑菌の繁殖などの汚染を生じてしまうおそれがあった。【０００９】
また、特許文献２に記載されるように、弁体の胴部とハウジングとの間に更なる流路を備え、オスコネクタ挿入時に形成される前記隙間と前記更なる流路とを通じてオスコネクタ接続部から医療器具接続部連通路まで流体を導くような構成の医療用コネクタの場合においても、オスコネクタの非挿入時には、医療器具接続部連通路を流れる流体が前記更なる流路内を流れず、該流路内で流体が滞留し、該滞留部で汚染を生じてしまうおそれがあった。【００１０】
本発明は、前記の現状に鑑み開発されたもので、オスコネクタ接続部からのオスコネクタ抜去時における第２医療器具接続部での流体の引き込みの発生を抑制すると共に、医療用コネクタ内での流体の滞留の発生を抑制することができる医療用コネクタを提供することを目的とする。
【課題を解決するための手段】
【００１１】
本発明の医療用コネクタは、第１医療器具接続部、第２医療器具接続部及びオスコネクタ接続部を有するハウジングと、前記オスコネクタ接続部を閉塞可能な頭部及び該頭部に連なる胴部を有する弁体と、前記ハウジング及び前記弁体によって区画され、前記第１医療器具接続部から前記第２医療器具接続部まで流体を導く医療器具接続部連通路とを備える医療用コネクタにおいて、前記オスコネクタ接続部へのオスコネクタの挿入にて、前記弁体の頭部が前記胴部を収縮変形させつつ押し込まれることで前記頭部と前記ハウジングとの間に形成される隙間のみを通じて、前記オスコネクタ接続部から前記医療器具接続部連通路まで流体を導くことを特徴とする。【００１２】
ここで、本発明の医療用コネクタは、前記胴部が内部空間を形成していて、前記内部空間は、前記胴部の収縮変形の際に、前記医療器具接続部連通路を流れる流体と液密に区画されていることが好ましい。【００１３】
また、本発明の医療用コネクタは、前記ハウジングが、前記弁体の胴部を収容する収容凹部を備え、前記弁体は、前記胴部の外周面に前記収容凹部と摺接するシール部が周設されており、前記胴部の外周面は、前記シール部を挟んで前記頭部側と対向する領域が前記医療器具接続部連通路を流れる流体と液密に区画されていることが好ましい。【００１４】
また、本発明の医療用コネクタにおいては、前記弁体は、前記オスコネクタの非挿入時の状態において、外周面の１／２以上の領域が、前記ハウジングに接し、又は、前記医療器具接続部連通路を流れる流体と液密に区画されていることが好ましい。【００１５】
また、本発明の医療用コネクタにおいては、前記弁体は、前記オスコネクタの非挿入時の状態において、外周面の１／２以上の領域が、前記ハウジングに接していることが好ましい。【００１６】
さらに、本発明の医療用コネクタは、前記医療器具接続部連通路が、前記弁体の胴部の外周面を取り囲む環状流路を含むことが好ましい。
【発明の効果】
【００１７】
本発明によれば、オスコネクタ接続部へのオスコネクタの挿入にて、弁体の頭部が胴部を収縮変形させつつ押し込まれることで前記頭部とハウジングとの間に形成される隙間のみを通じてオスコネクタ接続部から医療器具接続部連通路まで流体を導くことができる。そして、オスコネクタ接続部からのオスコネクタの抜去時には、弁体の胴部が膨張変形して復元し、前記隙間が閉塞されることになる。【００１８】
したがって、本発明によれば、従来、オスコネクタ抜去時に生じることが懸念されたハウジング内部の流体流路容積の増加を、弁体の胴部の復元に伴う胴部の膨張分によって抑制できるため、オスコネクタ抜去時における第２医療器具接続部での流体の引き込みの発生を抑制することができる。また、本発明によれば、オスコネクタ挿入時に形成される前記頭部とハウジングとの間の隙間のみを通じてオスコネクタ接続部から医療器具接続部連通路まで流体が導かれるため、オスコネクタの非挿入時に、医療器具接続部連通路を流れる流体が滞留する滞留部の形成が抑制される。【００１９】
したがって、本発明によれば、オスコネクタ接続部からのオスコネクタ抜去時における第２医療器具接続部での流体の引き込みの発生を抑制すると共に、医療用コネクタ内での流体の滞留の発生を抑制することができる医療用コネクタを提供することができる。
【図面の簡単な説明】
【００２０】
【図１】本発明の一実施形態に係る医療用コネクタの縦断面図であり、オスコネクタ非挿入時の状態を示す。
【図２】図１に示す医療用コネクタの斜視図である。
【図３】図１に示す医療用コネクタの縦断面斜視図である。
【図４】図１に示す医療用コネクタの弁体の斜視図である。
【図５】図４に示す弁体の他の角度から見た斜視図である。
【図６】図１に示す医療用コネクタの内側ハウジングの斜視図である。
【図７】図６に示す内側ハウジングの他の角度から見た斜視図である。
【図８】図６に示す内側ハウジングの更なる他の角度から見た斜視図である。
【図９】図１に示す医療用コネクタの外側ハウジングの斜視図である。
【図１０】図１に示す医療用コネクタの縦断面図であり、オスコネクタ挿入時の状態を示す。
【図１１】図１の医療用コネクタの変形例を示す縦断面図である。
【図１２】図１１に示す医療用コネクタの縦断面図であり、オスコネクタ挿入時の状態を示す。
【図１３】本発明の他の実施形態に係る医療用コネクタの縦断面図であり、オスコネクタ非挿入時の状態を示す。
【図１４】図１３に示す医療用コネクタの縦断面斜視図である。
【図１５】図１３のＡ−Ａ線に沿う断面を示す横断面斜視図である。
【図１６】図１３に示す医療用コネクタの内側ハウジングの斜視図である。
【図１７】図１３に示す医療用コネクタの縦断面図であり、オスコネクタ挿入時の状態を示す。
【発明を実施するための形態】
【００２１】
以下、図１〜図１２を参照して、本発明の一実施形態に係る医療用コネクタについて詳細に例示説明する。
なお、本明細書において、上下方向とは、医療用コネクタのオスコネクタ接続部の中心軸線に沿う方向を意味し、上方はオスコネクタの抜去方向（すなわち、図１における上方）を意味し、下方はオスコネクタの挿入方向（すなわち、図１における下方）を意味するものとする。
【００２２】
図１〜図３に示すように、医療用コネクタ１は、ハウジング２と弁体３とを備えている。ハウジング２は、本実施形態では、外側ハウジング４と内側ハウジング５とを備え、外側ハウジング４を内側ハウジング５に固定することで構成されている。なお、外側ハウジング４と内側ハウジング５とは、互いに、例えば溶接又は接着などによって固定されている。また、外側ハウジング４及び内側ハウジング５を合成樹脂製とする場合には、例えば熱溶着などを用いて固定してもよい。本例では、外側ハウジング４と内側ハウジング５の２部材によってハウジング２を構成しているが、これに代え、採用する製造方法に従って、例えば１部材又は３部材構成とすることもできる。なお、弁体３の素材としては、例えば、ゴム材料や熱可塑性エラストマなどを用いることが好ましい。
【００２３】
外側ハウジング４は、上端部に軸線Ｏを中心とする円筒状のオスコネクタ接続部６を有する。オスコネクタ接続部６の外周面上端部には、本例では、ルアーロックタイプのオスコネクタを固定するためのロック用突起７が形成されている。なお、当該ロック用突起７は省略することも可能である。オスコネクタ接続部６の下端には、テーパ状に拡径するテーパ壁部８を介して円筒状の外周壁部９が垂設されている。外周壁部９の上端部には斜め上方に突出する第１医療器具接続部１０が設けられている。
【００２４】
弁体３は、図１〜図５に示すように、軸線Ｏを中心とする円柱状の頭部１１を有している。なお、本例では、オスコネクタ接続部６の内周面に下方に向けて拡径する環状の段部６ａが形成されており、弁体３の頭部１１には、この環状の段部に密接可能な環状の段部１１ａが形成されている。頭部１１には、中心軸線Ｏから径方向に一直線状に延びるスリット１２が形成されている。頭部１１の下端には、外側ハウジング４のテーパ壁部８の内周面の傾きと同一の角度でテーパ状に拡径する肩部１３を介して、胴部１４が連設されている。
【００２５】
胴部１４は、上部１４ａが軸線Ｏを中心とする円柱状に形成されると共に、上下方向中間部及び下部が蛇腹部１４ｂとして形成されている。また、胴部１４には内部空間として中空部１５が形成されている。具体的には、胴部１４には、頭部１１と反対側の端部に開口する中空部１５が形成されている。蛇腹部１４ｂの上端部外周面には、後述する収容凹部１８と摺接するシール部としてのシール突起１６（図４，５参照）が周設されている。蛇腹部１４ｂの下端には、後述する収容凹部１８に形成された凸部２２と係合して胴部１４の周方向の回転を防止する凹部１７が形成されている。内部空間として構成される中空部１５は、胴部１４の収縮変形の際に、後述する医療器具接続部連通路３３を流れる流体と液密に区画されている。
【００２６】
内側ハウジング５には、図１、図３及び図６〜図８に示すように、弁体３の胴部１４が配置される収容凹部１８が形成されている。収容凹部１８は、軸線Ｏを中心とする円筒状の内周壁部１９の内周面と、内周壁部１９の下端部に連なる底壁部２０の上面とによって区画されている。底壁部２０の上面中央には、上方に突出すると共に弁体３の中空部１５に挿入される挿入突起２１が形成されている。また、底壁部２０の上面には、前述した弁体３の凹部１７と係合して胴部１４の周方向の回転を防止する凸部２２が形成されている。
【００２７】
挿入突起２１及び凸部２２には、弁体３の中空部１５を内周壁部１９の外周側の空間に繋ぐ第１通気路２３が形成されている。また、内周壁部１９には、収容凹部１８と弁体３の蛇腹部１４ｂの外周面とで区画される空間を、内周壁部１９の外周側の空間に繋ぐ第２通気路２４が形成されている。第１通気路２３及び第２通気路２４は、それぞれ、内周壁部１９と外側ハウジング４の外周壁部９との隙間を介して医療用コネクタ１の外部空間へと通じている。
【００２８】
内周壁部１９には、第１医療器具接続部１０内の流路と対向する位置に第１貫通孔２５を備えている。また、底壁部２０の下部には、第２医療器具接続部２６が形成されている。内周壁部１９の下端部には、第２医療器具接続部２６内の流路を内周壁部１９の外周側の空間に繋ぐ第２貫通孔２７が形成されている。第１貫通孔２５及び第２貫通孔２７の双方は、略矩形状のシール突起２８によって包囲されている（図６参照）。シール突起２８の内側は、シール突起２８の外側よりも凹んだ凹溝部２９として形成されている。また、内周壁部１９の上端縁部には、円環状のシール突起３０が周設されている。なお、シール突起２８，３０は、ゴムや熱可塑性エラストマなどの弾性材料からなる別部材として構成し、内周壁部１９に接着してもよいし、インサート成形などによって合成樹脂製の内周壁部１９と一体に形成してもよい。
【００２９】
なお、本例では、図９に示すように、外側ハウジング４の外周壁部９の内周面には、位置決め用突起３１が形成されており、該位置決め用突起３１は、図７に示した位置決め用凹部３２と係合するようになっている。
【００３０】
以上説明したように、本実施形態に係る医療用コネクタ１は、第１医療器具接続部１０、第２医療器具接続部２６及びオスコネクタ接続部６を有するハウジング２と、オスコネクタ接続部６を閉塞可能な頭部１１及び該頭部１１に連なる胴部１４を有する弁体３とを備えている。また、医療用コネクタ１は、ハウジング２及び弁体３によって区画され、第１医療器具接続部１０から第２医療器具接続部２６まで流体を導く医療器具接続部連通路３３を備えている。医療器具接続部連通路３３は、本例では、弁体３の胴部１４、第１貫通孔２５、凹溝部２９、外周壁部９及び第２貫通孔２７によって区画されている。
【００３１】
また、医療用コネクタ１は、図１０に示すように、オスコネクタ接続部６へのオスコネクタＣの挿入にて、弁体３の頭部１１が胴部１４を収縮変形させつつ押し込まれることで頭部１１とハウジング２との間に形成される隙間３４のみを通じて、オスコネクタ接続部６から医療器具接続部連通路３３まで流体を導くようになっている。より具体的には、本例では、該隙間３４は、弁体３の頭部１１が押し込まれることで開くスリット１２とハウジング２とによって区画されるようになっている。そして、オスコネクタ接続部６からのオスコネクタＣの抜去時には、弁体３の胴部１４が膨張変形して復元し、前記隙間３４が閉塞されることになる。
【００３２】
したがって、医療用コネクタ１によれば、従来、オスコネクタＣ抜去時に生じることが懸念されたハウジング２内部の流体流路容積の増加を、弁体３の胴部１４の復元に伴う胴部１４の膨張分によって抑制できるため、オスコネクタＣ抜去時における第２医療器具接続部２６での流体の引き込みの発生を抑制することができる。また、医療用コネクタ１によれば、オスコネクタＣ挿入時に形成される前記頭部１１とハウジング２との間の隙間３４のみを通じてオスコネクタ接続部６から医療器具接続部連通路３３まで流体が導かれるため、オスコネクタＣの非挿入時に、医療器具接続部連通路３３を流れる流体が滞留する滞留部の形成が抑制される。
【００３３】
したがって、医療用コネクタ１によれば、オスコネクタ接続部６からのオスコネクタＣ抜去時における第２医療器具接続部２６での流体の引き込みの発生を抑制すると共に、医療用コネクタ１内での流体の滞留の発生を抑制することができる。
【００３４】
なお、本実施形態では、医療用コネクタ１は、オスコネクタ接続部６へのオスコネクタＣの挿入にて、弁体３の頭部１１が胴部１４を収縮変形させつつ押し込まれることで頭部１１とハウジング２との間に形成される隙間３４のみを通じて、オスコネクタ接続部６から医療器具接続部連通路３３の最上流部まで流体を導くようになっている。このような構成とすることで、オスコネクタＣの挿入時の状態において、オスコネクタＣから流入する流体が医療器具接続部連通路３３内で滞留することを抑制することができる。
【００３５】
また、本実施形態では、弁体３の胴部１４は内部空間（中空部１５）を形成していて、前記内部空間は、胴部１４の収縮変形の際に、医療器具接続部連通路３３を流れる流体と液密に区画されている（図１０参照）。より具体的には、内部空間（中空部１５）は、本実施形態では、収容凹部１８と摺接するシール部（シール突起１６、図４，５参照）によって、医療器具接続部連通路３３を流れる流体と液密に区画されている。
【００３６】
したがって、医療用コネクタ１によれば、オスコネクタ接続部６でのオスコネクタＣの挿入及び抜去時における弁体３の胴部１４の収縮変形及び膨張変形を容易にし、オスコネクタＣの挿入及び抜去をスムーズに行えるようにできる。
【００３７】
なお、本実施形態では、医療用コネクタ１は、第１通気路２３及び第２通気路２４を備えているため、オスコネクタＣの挿入及び抜去をより一層スムーズに行えるようにできるが、必ずしも第１通気路２３及び第２通気路２４を設ける必要はない。
【００３８】
また、本実施形態では、ハウジング２は、弁体３の胴部１４を収容する収容凹部１８を備え、弁体３は、胴部１４の外周面に収容凹部１８と摺接するシール部（シール突起１６、図４，５参照）が周設されており、胴部１４の外周面は、前記シール部を挟んで頭部１１側と対向する領域（すなわち、シール突起１６より下方の領域）が医療器具接続部連通路３３を流れる流体と液密に区画されているため、オスコネクタＣ抜去時におけるハウジング２内部の流体流路容積の増加及び減少の双方の発生を抑制することができる。したがって、医療用コネクタ１によれば、オスコネクタ接続部６からのオスコネクタＣ抜去時において、第２医療器具接続部２６での流体の引き込みの発生のみならず、流体の押出しの発生をも抑制することができる。すなわち、医療用コネクタ１によれば、例えば、薬剤を患者に注入している場合に、オスコネクタＣの抜去に伴いこの押出し量に相当する薬剤が意図せず患者に注入されてしまうことも抑制することができる。
【００３９】
また、本実施形態では、弁体３は、オスコネクタＣの非挿入時の状態において、外周面の１／２以上、より好ましくは２／３以上の領域が、ハウジング２に接し、又は、医療器具接続部連通路３３を流れる流体と液密に区画されている。より具体的には、本実施形態では、弁体３は、オスコネクタＣの非挿入時の状態において、頭部１１、肩部１３及びシール突起１６の外周面がハウジング２に接し、胴部１４の外周面におけるシール突起１６より下方の領域が医療器具接続部連通路３３を流れる流体と液密に区画されている。そして、これらの頭部１１、肩部１３及びシール突起１６の外周面と胴部１４の外周面におけるシール突起１６より下方の領域との面積の総和が、弁体３の外周面全体の面積の１／２以上、より好ましくは２／３以上となっている。
【００４０】
したがって、医療用コネクタ１によれば、オスコネクタＣの非挿入時の状態において弁体３が医療器具接続部連通路３３を流れる流体と接している面を十分に小さくすることができ、もって、流体の滞留部の形成をより確実に抑制することができる。
【００４１】
また、本実施形態に係る医療用コネクタ１は、ハウジング２に、弁体３の胴部１４を収容する収容凹部１８を設けた構成としたが、変形例として、図１１に示すように、このような収容凹部１８を設けない構成とすることも可能である。すなわち、本変形例では、内側ハウジング５の内周壁部１９が切り欠かれており、該切欠き部、弁体３の胴部１４、外周壁部９及び第２貫通孔２７によって医療器具接続部連通路３３が区画される。
【００４２】
また、本変形例では、弁体３の胴部１４は、図１１に示したように円柱状をなすように構成することが好ましく、このような構成とすることで、内周壁部１９と弁体３の胴部１４との間に流体の滞留部が形成されることが抑制される。さらに、本変形例では、図１１に示したように、前述した実施形態では設けていた第２通気路２４（前掲図１参照）は設けず、第１通気路２３のみを設けることができる。なお、内周壁部１９の切欠き部の外周縁部及び内周壁部１９の上端縁部には、適宜、前述したシール突起２８，３０（前掲図６参照）のようなシール構造を設けることができる。その他の構成は、前述した実施形態の場合と同一の構成とすることができる。
【００４３】
かかる構成になる本変形例に係る医療用コネクタ１’によれば、前述した実施形態の場合と同様に、図１２に示すように、オスコネクタ接続部６へのオスコネクタＣの挿入にて、弁体３の頭部１１が胴部１４を収縮変形させつつ押し込まれることで頭部１１とハウジング２との間に形成される隙間３４のみを通じて、オスコネクタ接続部６から医療器具接続部連通路３３まで流体を導くことができる。
【００４４】
したがって、医療用コネクタ１’によれば、従来、オスコネクタＣ抜去時に生じることが懸念されたハウジング２内部の流体流路容積の増加を、弁体３の胴部１４の復元に伴う胴部１４の膨張分によって抑制できるため、オスコネクタＣ抜去時における第２医療器具接続部２６での流体の引き込みの発生を抑制することができる。また、医療用コネクタ１’によれば、オスコネクタＣ挿入時に形成される前記頭部１１とハウジング２との間の隙間３４のみを通じてオスコネクタ接続部６から医療器具接続部連通路３３まで流体が導かれるため、オスコネクタＣの非挿入時に、医療器具接続部連通路３３を流れる流体が滞留する滞留部の形成が抑制される。
【００４５】
なお、本変形例では、医療用コネクタ１’は、前述した実施形態の場合と同様に、オスコネクタ接続部６へのオスコネクタＣの挿入にて、弁体３の頭部１１が胴部１４を収縮変形させつつ押し込まれることで頭部１１とハウジング２との間に形成される隙間３４のみを通じて、オスコネクタ接続部６から医療器具接続部連通路３３の最上流部まで流体を導くようになっている。このような構成とすることで、オスコネクタＣの挿入時の状態において、オスコネクタＣから流入する流体が医療器具接続部連通路３３内で滞留することが抑制される。
【００４６】
また、本変形例では、弁体３の胴部１４は内部空間（中空部１５）を形成していて、前記内部空間は、胴部１４の収縮変形の際に、医療器具接続部連通路３３を流れる流体と液密に区画されている（図１２参照）。より具体的には、内部空間（中空部１５）は、本実施形態では、中空部１５への挿入突起２１の圧入によって、医療器具接続部連通路３３を流れる流体と液密に区画されている。
【００４７】
また、本変形例では、弁体３は、オスコネクタＣの非挿入時の状態において、外周面の１／２以上、より好ましくは２／３以上の領域が、ハウジング２に接している。より具体的には、本変形例では、弁体３は、オスコネクタＣの非挿入時の状態において、頭部１１の外周面と、肩部１３の外周面と、胴部１４の外周面の一部とがハウジング２に接している。そして、これらのハウジング２に接している部分の面積の総和が、弁体３の外周面全体の面積の１／２以上、より好ましくは２／３以上となっている。
【００４８】
したがって、医療用コネクタ１’によれば、オスコネクタＣの非挿入時の状態において弁体３が医療器具接続部連通路３３を流れる流体と接している面を十分に小さくすることができ、もって、流体の滞留部の形成をより確実に抑制することができる。
【００４９】
次に、図１３〜図１７を参照して、本発明の他の実施形態に係る医療用コネクタ１００について詳細に例示説明する。
本実施形態に係る医療用コネクタ１００は、図１〜図１０を用いて説明した実施形態の場合とは、医療器具接続部連通路３５の構成が異なる点、弁体３のスリット１２の位置が異なる点、並びに外側ハウジング４と内側ハウジング５との間の位置決め用突起３１及び位置決め用凹部３２を設けていない点を除いては、同一の構成となっている。
【００５０】
すなわち、図１３〜図１５に示すように、本実施形態に係る医療用コネクタ１００では、医療器具接続部連通路３５は、弁体３の胴部１４の外周面を取り囲む環状流路３６を含んでいる。環状流路３６は、本例では、内側ハウジング５の内周壁部１９の上部内周面に形成された環状の切欠き部３７（図１６参照）と、弁体３の胴部１４と、外側ハウジング４のテーパ壁部８とによって区画されている。また、内周壁部１９は、第１貫通孔２５の軸線Ｏを挟む反対側に第３貫通孔３８を備えている。したがって、医療器具接続部連通路３５は、本例では、第３貫通孔３８、前記切欠き部３７、弁体３の胴部１４、テーパ壁部８、第１貫通孔２５、凹溝部２９、外周壁部９及び第２貫通孔２７によって区画されている。
【００５１】
また、弁体３のスリット１２は、本例では、第１貫通孔２５の軸線Ｏを挟む反対側、すなわち、第３貫通孔３８側に配置されている。なお、本例では、環状流路３６を設ける構成としているので、スリット１２を、例えば、図１に示したように第１貫通孔２５側に配置することも可能であるし、その他の周方向位置に配置することもできる。あるいは、スリット１２を複数配置することも可能である。但し、スリット１２は、本例のように第３貫通孔３８側に配置することが好ましい。このように配置することで、オスコネクタＣの挿入時の状態において、オスコネクタＣから流入する流体を医療器具接続部連通路３５の最上流部に導くことができるため、オスコネクタＣから流入する流体が医療器具接続部連通路３５内で滞留することを抑制できるからである。
【００５２】
かかる構成になる本実施形態に係る医療用コネクタ１００によれば、図１７に示すように、オスコネクタ接続部６へのオスコネクタＣの挿入にて、弁体３の頭部１１が胴部１４を収縮変形させつつ押し込まれることで頭部１１とハウジング２との間に形成される隙間３４のみを通じて、オスコネクタ接続部６から医療器具接続部連通路３５まで流体を導くことができる。また、医療用コネクタ１００では、ハウジング２は、弁体３の胴部１４を収容する収容凹部１８を備え、弁体３は、胴部１４の外周面に収容凹部１８と摺接するシール部が周設されており、胴部１４の外周面は、前記シール部を挟んで頭部１１側と対向する領域が医療器具接続部連通路３５を流れる流体と液密に区画されている。
【００５３】
したがって、医療用コネクタ１００によれば、図１〜図１０を用いて説明した実施形態の場合と同様に、オスコネクタ接続部６からのオスコネクタＣ抜去時における第２医療器具接続部２６での流体の引き込み及び押出しの双方の発生を抑制すると共に、医療用コネクタ１００内での流体の滞留の発生を抑制することができる。
【００５４】
また、本実施形態では、図１〜図１０を用いて説明した実施形態の場合と同様に、弁体３の胴部１４は内部空間（中空部１５）を形成していて、前記内部空間は、胴部１４の収縮変形の際に、医療器具接続部連通路３５を流れる流体と液密に区画されている（図１７参照）。したがって、医療用コネクタ１００によれば、オスコネクタ接続部６でのオスコネクタＣの挿入及び抜去時における弁体３の胴部１４の収縮変形及び膨張変形を容易にし、オスコネクタＣの挿入及び抜去をスムーズに行えるようにできる。
【００５５】
また、本実施形態では、図１〜図１０を用いて説明した実施形態の場合と同様に、弁体３は、オスコネクタＣの非挿入時の状態において、外周面の１／２以上、より好ましくは２／３以上の領域が、ハウジング２に接し、又は、医療器具接続部連通路３５を流れる流体と液密に区画されている。したがって、医療用コネクタ１００によれば、オスコネクタＣの非挿入時の状態において弁体３が医療器具接続部連通路３５を流れる流体と接している面が十分に小さくなり、もって、流体の滞留部の形成がより確実に抑制される。
【００５６】
そして、本実施形態では、医療器具接続部連通路３５が、弁体３の胴部１４の外周面を取り囲む環状流路３６を含んでいる。したがって、オスコネクタＣの非挿入時に医療器具接続部連通路３５内を流れる流体が弁体３の胴部１４の外周面付近でより流れ易くなるため、流体の滞留の発生をより一層抑制することができる。
【００５７】
なお、本実施形態においても、図１〜図１０を用いて説明した実施形態の場合と同様に、医療用コネクタ１００は、オスコネクタ接続部６へのオスコネクタＣの挿入にて、弁体３の頭部１１が胴部１４を収縮変形させつつ押し込まれることで頭部１１とハウジング２との間に形成される隙間３４のみを通じて、オスコネクタ接続部６から医療器具接続部連通路３５の最上流部まで流体を導くようになっている。このような構成とすることで、オスコネクタＣの挿入時の状態において、オスコネクタＣから流入する流体が医療器具接続部連通路３５内で滞留することを抑制することができる。
【００５８】
前述したところは本発明の一実施形態を示したにすぎず、特許請求の範囲において、種々の変更を加えてもよいことは言うまでもない。
【符号の説明】
【００５９】
１，１’，１００  医療用コネクタ
２  ハウジング
３  弁体
４  外側ハウジング
５  内側ハウジング
６  オスコネクタ接続部
６ａ  段部
７  ロック用突起
８  テーパ壁部
９  外周壁部
１０  第１医療器具接続部
１１  頭部
１１ａ  段部
１２  スリット
１３  肩部
１４  胴部
１４ａ  胴部の上部
１４ｂ  蛇腹部
１５  中空部
１６  シール突起
１７  凹部
１８  収容凹部
１９  内周壁部
２０  底壁部
２１  挿入突起
２２  凸部
２３  第１通気路
２４  第２通気路
２５  第１貫通孔
２６  第２医療器具接続部
２７  第２貫通孔
２８  シール突起
２９  凹溝部
３０  シール突起
３１  位置決め用突起
３２  位置決め用凹部
３３  医療器具接続部連通路
３４  隙間
３５  医療器具接続部連通路
３６  環状流路
３７  切欠き部
３８  第３貫通孔
Ｏ  軸線
Ｃ  オスコネクタ
【図１】
2016157829.tif 000003
【図２】
2016157829.tif 000004
【図３】
2016157829.tif 000005
【図４】
2016157829.tif 000006
【図５】
2016157829.tif 000007
【図６】
2016157829.tif 000008
【図７】
2016157829.tif 000009
【図８】
2016157829.tif 000010
【図９】
2016157829.tif 000011
【図１０】
2016157829.tif 000012
【図１１】
2016157829.tif 000013
【図１２】
2016157829.tif 000014
【図１３】
2016157829.tif 000015
【図１４】
2016157829.tif 000016
【図１５】
2016157829.tif 000017
【図１６】
2016157829.tif 000018
【図１７】
2016157829.tif 000019
【国際調査報告】
2016157829.tif 000020
2016157829.tif 000021
2016157829.tif 000022
2016157829.tif 000023